(57)【要約】      （修正有）【課題】ゴルフボールの飛行距離が遠く、打感がよく、高回旋性を有し、ボールの飛行方向が安定で、かつ落下点がコントロールやすいことに優れているなどの効果を奏することができる６層構造を有するゴルフボールを提供する。【解決手段】球状外表面１１を有し、外径が０．６４〜０．９６インチである第１のコア層１と、第１のコア層を被覆するように第１のコア層の球状外表面に設けられ、厚さが０．４５６〜０．６８４インチである第２のコア層２と、第２のコア層を被覆し、厚さが０．０５〜０．１５インチである第１の中間層３と、第１の中間層を被覆し、厚さが０．０５〜０．１５インチである第２の中間層４と、第２の中間層を被覆し、厚さが０．０５〜０．１５インチである第３の中間層５と、第３の中間層を被覆し、厚さが０．０３５〜０．１０２インチであるカルバミン酸塩ボールカバー層６と、を含む６層構造を有する。【選択図】図２
0003196551.tif 000002
【実用新案登録請求の範囲】
【請求項１】
球状外表面を有し、外径が０．６４〜０．９６インチである第１のコア層と、
前記第１のコア層を被覆するように前記第１のコア層の前記球状外表面に設けられ、厚さが０．４５６〜０．６８４インチである第２のコア層と、
前記第２のコア層を被覆し、厚さが０．０５〜０．１５インチである第１の中間層と、
前記第１の中間層を被覆し、厚さが０．０５〜０．１５インチである第２の中間層と、
前記第２の中間層を被覆し、厚さが０．０５〜０．１５インチである第３の中間層と、
前記第３の中間層を被覆し、厚さが０．０３５〜０．１０２インチであるカルバミン酸塩ボールカバー層と、
を含み、
前記第１のコア層、前記第２のコア層、前記第１の中間層、前記第２の中間層、前記第３の中間層及び前記カルバミン酸塩ボールカバー層は、同一の中心点を有し、
前記カルバミン酸塩ボールカバー層の球状外表面から中心点までの距離は、１．６８０〜１．６９５インチであることを特徴とする６層構造を有するゴルフボール。
【請求項２】
前記第１のコア層の外径は、０．７５〜０．８５インチであることを特徴とする請求項１に記載の６層構造を有するゴルフボール。
【請求項３】
前記第２のコア層の厚さは、０．５２〜０．６３インチであることを特徴とする請求項１に記載の６層構造を有するゴルフボール。
【請求項４】
前記第１の中間層の厚さは、０．０７２〜０．０８８インチであることを特徴とする請求項１に記載の６層構造を有するゴルフボール。
【請求項５】
前記第２の中間層の厚さは、０．０７２〜０．０８８インチであることを特徴とする請求項１に記載の６層構造を有するゴルフボール。
【請求項６】
前記第３の中間層の厚さは、０．０７２〜０．０８８インチであることを特徴とする請求項１に記載の６層構造を有するゴルフボール。
【請求項７】
前記カルバミン酸塩ボールカバー層の厚さは、０．０６５〜０．１０２インチであることを特徴とする請求項１に記載の６層構造を有するゴルフボール。
【請求項８】
球状外表面を有し、外径が１．００８〜１．５１２インチであるコア層と、
前記コア層を被覆するように前記コア層の前記球状外表面に設けられ、厚さが０．０９９〜０．１２１インチである第１の中間層と、
前記第１の中間層を被覆し、厚さが０．０５〜０．１５インチである第２の中間層と、
前記第２の中間層を被覆し、厚さが０．０５〜０．１５インチである第３の中間層と、
前記第３の中間層を被覆し、厚さが０．０５〜０．１５インチである第４の中間層と、
厚さが０．０３５〜０．１０２インチであるカルバミン酸塩ボールカバー層と、
を含み、
前記コア層、前記第１の中間層、前記第２の中間層、前記第３の中間層、前記第４の中間層及び前記カルバミン酸塩ボールカバー層は、同一の中心点を有し、
前記カルバミン酸塩ボールカバー層の球状外表面から中心点までの距離は、１．６８０〜１．６９５インチであることを特徴とする６層構造を有するゴルフボール。
【請求項９】
前記コア層の外径は、１．２５〜１．２７インチであることを特徴とする請求項８に記載の６層構造を有するゴルフボール。
【請求項１０】
前記第１の中間層の外径は、０．１０〜０．１２インチであることを特徴とする請求項８に記載の６層構造を有するゴルフボール。  
【考案の詳細な説明】
【技術分野】
【０００１】
本考案は、ゴルフボールに関し、特に６層構造を有するゴルフボールに関するものである。
【背景技術】
【０００２】
従来、「ゴルフ」運動は、西洋紳士のレジャー運動と見られている。だが、近年、生活水準の向上やレジャー生活への重視に伴い、この運動を好きになる各業種からの異なる年齢層の男女老幼がますます多くなっているため、ゴルフは、全人民的な運動になりつつある。しかしながら、ゴルフボールそのものの性能は、打球後の飛行方向及び飛行距離だけではなく、ボールのコントロール性にも影響を及ぼす可能性がある。ゴルフボールに要求される性能としては、高初速、良好な打感、及び高回旋性等の性能、例えばコアが大きく球皮が高硬度及び高強靭性を有することでゴルフボールが高初速を有し、ボールの飛行距離が遠くなるものや、球皮が柔らかいことでゴルフボールの打感がよくなると同時に高回旋性を有し、ボールの飛行方向が安定で、かつボールの落下点がコントロールしやすくなるものがある。
【０００３】
特許文献１には、一体成形となるゴム材質芯体と、該ゴム材質芯体にプラスチック材質のカバーとからなるゴルフボール構造が開示されている。このような従来のゴルフボール構造は、そのプラスチック材質のカバーの耐摩擦、耐磨耗効果が悪く、打球後に表層が磨耗や破損しやすくなり、使用寿命が短く、しかもボールの硬度が高く打感が悪く、打球時の違和感となりやすいため、ゴルフボールのような高級レジャー運動に不向きである。
【先行技術文献】
【特許文献】
【０００４】
【特許文献１】台湾実用新案公告第Ｍ３４９２７９号公報
【考案の概要】
【考案が解決しようとする課題】
【０００５】
本考案は、ゴルフボールの飛行距離が遠く、打感がよく、高回旋性を有し、ボールの飛行方向が安定で、かつ落下点がコントロールやすいことに優れているなどの効果を奏することができる６層構造を有するゴルフボールを提供することを目的とする。
【課題を解決するための手段】
【０００６】
本考案は、球状外表面を有し、外径が０．６４〜０．９６インチである第１のコア層と、前記第１のコア層を被覆するように前記第１のコア層の前記球状外表面に設けられ、厚さが０．４５６〜０．６８４インチである第２のコア層と、前記第２のコア層を被覆し、厚さが０．０５〜０．１５インチである第１の中間層と、前記第１の中間層を被覆し、厚さが０．０５〜０．１５インチである第２の中間層と、前記第２の中間層を被覆し、厚さが０．０５〜０．１５インチである第３の中間層と、前記第３の中間層を被覆し、厚さが０．０３５〜０．１０２インチであるカルバミン酸塩ボールカバー層と、を含み、前記第１のコア層、前記第２のコア層、前記第１の中間層、前記第２の中間層、前記第３の中間層及び前記カルバミン酸塩ボールカバー層は、同一の中心点を有し、前記カルバミン酸塩ボールカバー層の球状外表面から中心点までの距離は、１．６８０〜１．６９５インチであることを特徴とする６層構造を有するゴルフボールを提供する。
【０００７】
また、本考案は、球状外表面を有し、外径が１．００８〜１．５１２インチであるコア層と、前記コア層を被覆するように前記コア層の前記球状外表面に設けられ、厚さが０．０９９〜０．１２１インチである第１の中間層と、前記第１の中間層を被覆し、厚さが０．０５〜０．１５インチである第２の中間層と、前記第２の中間層を被覆し、厚さが０．０５〜０．１５インチである第３の中間層と、前記第３の中間層を被覆し、厚さが０．０５〜０．１５インチである第４の中間層と、厚さが０．０３５〜０．１０２インチであるカルバミン酸塩ボールカバー層と、を含み、前記コア層、前記第１の中間層、前記第２の中間層、前記第３の中間層、前記第４の中間層及び前記カルバミン酸塩ボールカバー層は、同一の中心点を有し、前記カルバミン酸塩ボールカバー層の球状外表面から中心点までの距離は、１．６８０〜１．６９５インチであることを特徴とする６層構造を有するゴルフボールを提供する。
【考案の効果】
【０００８】
本考案に係る６層構造を有するゴルフボールによれば、６層構造を有するゴルフボールの各層の特定の寸法により、ゴルフボールの飛行距離が遠く、打感がよく、高回旋性を有し、ボールの飛行方向が安定で、かつ落下点がコントロールやすいことに優れているなどの効果を奏することができる。
【図面の簡単な説明】
【０００９】
【図１】本考案に係る第１の実施例における６層構造を有するゴルフボールの立体模式図である。
【図２】本考案に係る第１の実施例における６層構造を有するゴルフボールの断面模式図である。
【図３】本考案に係る第２の実施例における６層構造を有するゴルフボールの断面模式図である。
【考案を実施するための形態】
【００１０】
下記において特定の具体的な実施例により本考案に係る「６層構造を有するゴルフボール」の実施方法を説明する。本明細書に記載の内容は、当業者であれば、簡単に本考案のその他の利点や効果が理解できる。本考案は、その他の異なる実施例によって実施や応用を加えることが可能であり、本明細書に記載の内容も異なる観点や応用に基づき、本考案の主旨を逸脱しない範囲で様々な修飾や変更が可能である。又、本考案に係る図面は、あくまでも参照や説明のためのものであり、実際の寸法に基づいて描かれたものではなく、即ち関連構成の実際の寸法を反映していないものである。以下、本考案に係る技術内容についてさらに詳しく説明するが、本考案の実用新案登録請求の範囲を限定するものではない。
【００１１】
［第１の実施例］
図１は、本考案に係る第１の実施例における６層構造を有するゴルフボールの立体模式図であり、図２は、本考案に係る第１の実施例における６層構造を有するゴルフボールの断面模式図である。本考案に係る第１の実施例は、第１のコア層１と、第２のコア層２と、第１の中間層３と、第２の中間層４と、第３の中間層５と、カルバミン酸塩ボールカバー層６とを含む６層構造を有するゴルフボールＧである。本考案に係る第１の実施例において、デュアルコア（ｄｕａｌ  ｃｏｒｅ）である６層構造を有するゴルフボールＧが提供されている。第１のコア層１は、球状外表面１１を有し、外径が０．６４〜０．９６インチであり、好ましくは外径が０．７５〜０．８５インチである。本考案に係る第１の実施例において、第１のコア層１の外径は、０．８インチである。
【００１２】
また、本考案に係る第１の実施例において、第１のコア層１は、重量％が４５〜６５％であるブタジエン・ゴム（ｂｕｔａｄｉｅｎｅ  ｒｕｂｂｅｒ）またはポリブタジエン・ゴム（Ｐｏｌｙｂｕｔａｄｉｅｎｅ  ｒｕｂｂｅｒ）と、重量％が３５〜５５％である第１のコア層添加物とを含んでもよい。第１のコア層添加物にはアクリル亜鉛（ＺＤＡ）、酸化亜鉛粉、タングステン粉、架橋剤、ステアリン酸及びホワイトカーボン（ｗｈｉｔｅ  ｃａｒｂｏｎ）が含まれている。第１のコア層１は、ブタジエン・ゴムに第１のコア層添加物が混合されることにより形成されるが、本考案はこれに限定されるものではない。一つの例として、第１のコア層１の材質は、熱可塑性エラストマー（Ｔｈｅｒｍｏ  Ｐｌａｓｔｉｃ  Ｅｌａｓｔｏｍｅｒ、ＴＰＥ）であってもよく、例えばポリウレタン系熱可塑性エラストマー（Ｔｈｅｒｍｏ  Ｐｌａｓｔｉｃ  Ｕｒｅｔｈａｎｅ、ＴＰＵ）、イオン型熱可塑性エラストマー（Ｉｏｎｉｃ  ｔｈｅｒｍｏｐｌａｓｔｉｃ  ｅｌａｓｔｏｍｅｒ）等の材質が挙げられる。
【００１３】
次に、第２のコア層２は、第１のコア層１を被覆するように第１のコア層１の球状外表面１１に設けられており、厚さが０．４５６〜０．６８４インチであり、好ましくは０．５２〜０．６３インチである。本考案に係る第１の実施例において、第２のコア層２の厚さは、０．５７インチである。また、第２のコア層２は、第１のコア層１と同一の材質を用いてもよい。第２のコア層２は、ブタジエン・ゴムまたはポリブタジエン・ゴムと、第２のコア層添加物とを含んでもよい。第２のコア層添加物は、第１のコア層添加物と同一の材質を用いてもよいが、本考案はこれに限定されるものではない。ここで注意すべき点は、第１のコア層１は、第２のコア層２と材質が同一でも異なってもよく、若しくは同一の材質であるが、材質の添加率が異なってもよい。
【００１４】
次に、第１の中間層３は、第２のコア層２を被覆しており、厚さが０．０５〜０．１５インチであり、好ましくは、厚さが０．０７２〜０．０８８インチである。本考案に係る第１の実施例において、第１の中間層３の厚さは、０．０８インチである。本考案に係る第１の実施例において、第１の中間層３の材質は、熱可塑性プラスチック、イオン重合樹脂、アイオノマー（ｉｏｎｏｍｅｒ）及び第１の中間層添加物を含んでもよい。一つの実施態様において、イオン重合樹脂は、デュポンTM会社製のサーリン（Ｒ）（Ｓｕｒｌｙｎ（Ｒ））樹脂を用いてもよい。また、本考案に係る第１の実施例において、熱可塑性プラスチックの重量％は、４５〜６５％であり、第１の中間層添加物の重量％は、３５〜５５％である。
【００１５】
次に、第２の中間層４は、第１の中間層３を被覆しており、厚さが０．０５〜０．１５インチであり、好ましくは、厚さが０．０７２〜０．０８８インチである。本考案に係る第１の実施例において、第２の中間層４の厚さは０．０８インチである。また、第２の中間層４の材質は、第１の中間層３と同じように、熱可塑性プラスチック、イオン重合素子、アイオノマー及び第２の中間層添加物を含んでもよい。第２の中間層添加物は、第１の中間層添加物と同一であってもよく、ここでは詳しい説明を省略する。
【００１６】
また、第３の中間層５は、第２の中間層４を被覆しており、厚さが０．０５〜０．１５インチであり、好ましくは、厚さが０．０７２〜０．０８８インチである。本考案に係る第１の実施例において、第３の中間層５の厚さは０．０８インチである。また、第３の中間層５の材質は、第１の中間層３と同じように、熱可塑性プラスチック、イオン重合素子、アイオノマー及び第３の中間層添加物を含んでもよく、ここでは詳しい説明を省略する。
【００１７】
具体的には、第１の中間層３、第２の中間層４及び第３の中間層５の材質及び厚さは、必要に応じて調整することができる。第１の中間層３、第２の中間層４及び第３の中間層５の厚さを調整することにより、本考案に係る６層構造を有するゴルフボールＧのコントロール性、打感、初速及び回旋性等の性能を調整することができる。
【００１８】
次に、カルバミン酸塩ボールカバー層６は、第３の中間層５を被覆しており、厚さが０．０３５〜０．１０２インチであり、好ましくは、厚さが０．０６５〜０．１０２インチである。本考案に係る第１の実施例において、カルバミン酸塩ボールカバー層６の厚さは０．０８インチである。一つの例として、本考案に係る第１の実施例において、カルバミン酸塩ボールカバー層６は、ウレタン（ｕｒｅｔｈａｎｅ）及びボールカバー層添加物を含む。ウレタンの重量％は、５５〜６５％であり、ボールカバー層添加物の重量％は、３５〜４５％である。ボールカバー層添加物は、低温硬化剤、高温硬化剤及び充填剤を含む。低温硬化剤及び高温硬化剤は、異なる硬化温度を有し、充填剤は、酸化アルミニウム粉末、石英粉末またはその他金属酸化物である。
【００１９】
ウレタンの材料性質によってカルバミン酸塩ボールカバー層６が高強靭性及び高柔軟性を有し、打感がよく、低温硬化剤及び高温硬化剤が異なる反応温度を有し、第３の中間層５の表面張力が極めて低く、第３の中間層５とカルバミン酸塩ボールカバー層６との間の密着性が向上するため、打球時の脱皮現象を回避することができる。
【００２０】
また、高硬度を有する酸化アルミニウム粉末、石英粉末またはその他金属酸化物によってカルバミン酸塩ボールカバー層６の摩擦係数が向上し、カルバミン酸塩ボールカバー層６の強靭性が維持されるため、カルバミン酸塩ボールカバー層６が同一の厚さである場合に、高い摩擦係数及び好ましい強靭性を有し、摩擦係数が高ければ、打球後のボールの回転速度が高くなり、ボールが高回旋性を有し、ボールの飛行方向安定性が高くなり、又、好ましい強靭性によって打感がよくなり、打感及びボールのコントロール性を同時に兼ね持つことができる。
【００２１】
また、具体的には、本考案に係る第１の実施例において、第１のコア層１、第２のコア層２、第１の中間層３、第２の中間層４、第３の中間層５及びカルバミン酸塩ボールカバー層６は、いずれも同一の中心点Ｃを有する。これにより、カルバミン酸塩ボールカバー層６の球状外表面６１から中心点Ｃまでの距離は、１．６８０〜１．６９５インチであり、好ましくは１．６８０〜１．６８５インチである。
【００２２】
本考案に係る第１の実施例における６層構造を有するゴルフボールＧによれば、６層構造を有するゴルフボールＧの各層の特定の寸法により、ゴルフボールの飛行距離が遠く、打感がよく、高回旋性を有し、ボールの飛行方向が安定で、かつ落下点がコントロールやすいことに優れているゴルフボールを得ることができる。また、カルバミン酸塩ボールカバー層６におけるウレタンの主要材料により、ボールカバー層の厚さが小さくても、優れた性質を有する。
【００２３】
［第２の実施例］
図１及び図３を併せて参照すると、図３は、本考案に係る第２の実施例における６層構造を有するゴルフボールの断面模式図である。図３と図２との比較から分かるように、第２の実施例は、コア層１’のみを有してもよく、さらに第４の中間層７を有してもよい点で第１の実施例と異なっている。本考案に係る第２の実施例は、コア層１’と、第１の中間層３’と、第２の中間層４’と、第３の中間層５’と、第４の中間層７と、カルバミン酸塩ボールカバー層６’とを含む６層構造を有するゴルフボールＧ’である。本考案に係る第２の実施例において、シングルコア（ｓｉｎｇａｌ  ｃｏｒｅ）である６層構造を有するゴルフボールＧ’が提供されている。コア層１は、球状外表面１１’を有し、外径が１．００８〜１．５１２インチであり、好ましくは外径が１．２５〜１．２７インチである。本考案に係る第２の実施例において、コア層１’の外径は、１．２６インチである。
【００２４】
また、本考案に係る第２の実施例において、コア層１’は、ブタジエン・ゴム（ｂｕｔａｄｉｅｎｅ  ｒｕｂｂｅｒ）、ポリブタジエン・ゴム（Ｐｏｌｙｂｕｔａｄｉｅｎｅ  ｒｕｂｂｅｒ）、熱可塑性エラストマー（Ｔｈｅｒｍｏ  Ｐｌａｓｔｉｃ  Ｅｌａｓｔｏｍｅｒ、ＴＰＥ）、例えばポリウレタン系熱可塑性エラストマー（Ｔｈｅｒｍｏ  Ｐｌａｓｔｉｃ  Ｕｒｅｔｈａｎｅ、ＴＰＵ）、イオン型熱可塑性エラストマー（Ｉｏｎｉｃ  ｔｈｅｒｍｏｐｌａｓｔｉｃ  ｅｌａｓｔｏｍｅｒ）等の材質、及びコア層添加物を含んでもよい。また、第２の実施例に係るコア層１’について、各材質の比率は、第１の実施例に係る第１のコア層１と同一であってもよく、ここでは詳しい説明を省略する。
【００２５】
次に、第１の中間層３’は、コア層１’を被覆するようにコア層１’の球状外表面１１’に設けられており、厚さが０．０９９〜０．１２１ンチであり、好ましくは０．１０〜０．１２インチである。本考案に係る第２の実施例において、第１の中間層３’の厚さは、０．１１インチである。また、第１の中間層３’の材質は、熱可塑性プラスチック、イオン重合樹脂、アイオノマー（ｉｏｎｏｍｅｒ）及び第１の中間層添加物を含んでもよい。一つの実施態様において、イオン重合樹脂は、デュポンTM会社製のサーリン（Ｒ）（Ｓｕｒｌｙｎ（Ｒ））樹脂を用いてもよい。また、第２の実施例に係る第１の中間層３’の各材質の比率は、第１の実施例に係る第１の中間層３と同一であってもよく、ここでは詳しい説明を省略する。
【００２６】
次に、第２の中間層４’は、第１の中間層３’を被覆しており、厚さが０．０５〜０．１５インチであり、好ましくは、厚さが０．０７２〜０．０８８インチである。本考案に係る第２の実施例において、第２の中間層４’の厚さは０．０８インチである。また、第２の中間層４’の材質は、第１の中間層３’と同じように、熱可塑性プラスチック、イオン重合素子、アイオノマー、及び第２の中間層添加物を含んでもよい。第２の中間層添加物は、第１の中間層添加物と同一であってもよく、ここでは詳しい説明を省略する。
【００２７】
また、第３の中間層５’は、第２の中間層４’を被覆しており、厚さが０．０５〜０．１５インチであり、好ましくは、厚さが０．０７２〜０．０８８インチである。本考案に係る第２の実施例において、第３の中間層５’の厚さは０．０８インチである。また、第３の中間層５’の材質は、第１の中間層３’と同じように、熱可塑性プラスチック、イオン重合素子、アイオノマー、及び第３の中間層添加物を含んでもよい。第３の中間層添加物は、第１の中間層添加物と同一であってもよく、ここでは詳しい説明を省略する。
【００２８】
また、第４の中間層７は、第３の中間層５’を被覆しており、厚さが０．０５〜０．１５インチであり、好ましくは、厚さが０．０７２〜０．０８８インチである。本考案に係る第２の実施例において、第４の中間７の厚さは０．０８インチである。また、第４の中間層７の材質は、第１の中間層３’と同じように、熱可塑性プラスチック、イオン重合素子、アイオノマー、及び第３の中間層添加物を含んでもよい。第４の中間層添加物は、第１の中間層添加物と同一であってもよく、ここでは詳しい説明を省略する。
【００２９】
具体的には、第１の中間層３’、第２の中間層４’、第３の中間層５’及び第４の中間層７の材質及び厚さは、必要に応じて調整することができる。第１の中間層３’、第２の中間層４’、第３の中間層５’及び第４の中間層７の厚さを調整することにより、本考案に係る６層構造を有するゴルフボールＧ’のコントロール性、打感、初速及び回旋性等の性能を調整することができる。
【００３０】
次に、カルバミン酸塩ボールカバー層６’は、第４の中間層７を被覆しており、厚さが０．０３５〜０．１０２インチであり、好ましくは、厚さが０．０６５〜０．１０２インチである。本考案に係る第２の実施例において、カルバミン酸塩ボールカバー層６’の厚さは０．０８インチである。一つの例として、本考案に係る第２の実施例において、カルバミン酸塩ボールカバー層６’は、ウレタン（ｕｒｅｔｈａｎｅ）及びボールカバー層添加物を含む。ウレタンの重量％は、５５〜６５％であり、ボールカバー層添加物の重量％は、３５〜４５％である。ボールカバー層添加物は、低温硬化剤、高温硬化剤及び充填剤を含む。低温硬化剤及び高温硬化剤は、異なる硬化温度を有し、充填剤は、酸化アルミニウム粉末、石英粉末またはその他金属酸化物である。また、本考案に係る第２の実施例におけるカルバミン酸塩ボールカバー層６’の構造は、第１の実施例におけるカルバミン酸塩ボールカバー層６と類似しており、ここでは詳しい説明を省略する。
【００３１】
また、具体的には、本考案に係る第２の実施例において、コア層１’、第１の中間層３’、第２の中間層４’、第３の中間層５’、第４の中間層７及びカルバミン酸塩ボールカバー層６’は、いずれも同一の中心点Ｃ’を有する。これにより、カルバミン酸塩ボールカバー層６’の球状外表面６１’から中心点Ｃ’までの距離は、１．６８０〜１．６９５インチであり、好ましくは１．６８０〜１．６８５インチである。
【００３２】
本考案に係る第２の実施例における６層構造を有するゴルフボールＧ’によれば、６層構造を有するゴルフボールＧ’の各層の特定の寸法により、ゴルフボールの飛行距離が遠く、打感がよく、高回旋性を有し、ボールの飛行方向が安定で、かつ落下点がコントロールやすいことに優れているゴルフボールを得ることができる。また、カルバミン酸塩ボールカバー層６’におけるウレタンの主要材料により、ボールカバー層の厚さが小さくても、優れた性質を有する。
【００３３】
［実施例の可能効果］
上記のように、本考案に係る６層構造を有するゴルフボール（Ｇ、Ｇ’）によれば、６層構造を有するゴルフボール（Ｇ、Ｇ’）の各層の寸法構成により、６層構造を有するゴルフボール（Ｇ、Ｇ’）の飛行距離が遠く、打感がよく、高回旋性を有し、ボールの飛行方向が安定で、かつ落下点がコントロールやすいことに優れているゴルフボール（Ｇ、Ｇ’）を得ることができる。
【００３４】
上述したものは、本考案の好ましい実施例に過ぎず、本考案の実用新案登録請求の範囲を限定するためのものではなく、当業者であれば、本考案の明細書及び図面内容に基づいてなされた均等な変更および付加は、いずれも本考案の実用新案登録請求の範囲に含まれるものとする。
【符号の説明】
【００３５】
Ｇ、Ｇ’  ６層構造を有するゴルフボール
１  第１のコア層
１１  球状外表面
１’  コア層
１１’  球状外表面
２  第２のコア層２
３、３’  第１の中間層
４、４’  第２の中間層
５、５’  第３の中間層
６、６’  カルバミン酸塩ボールカバー層
６１、６１’  球状外表面
７  第４の中間層
Ｃ、Ｃ’  中心点
【図１】
0003196551.tif 000003
【図２】
0003196551.tif 000004
【図３】
0003196551.tif 000005